(57)【要約】【課題】凹凸法面でも簡単に型枠を組むことができて安価に確実な土留ができ、緑化にも適した法面保護工法及び袋型枠を提供する。【解決手段】表裏に連結する開拡制限紐１０を内部に介在して袋巾を制限する袋型枠１を用い、異形鉄筋２を間隔をあけ複数本横に並列して法面Ｓに打ち込む支持棒打込工程と、法面Ｓから突出している鉄筋端部２０を挿通孔１４に通して袋型枠１を垂下保持する袋型枠保持工程と、袋型枠１内にモルタルを打ち込むモルタル打設工程と、袋型枠１にモルタル注入で形成された土留壁Ｋの後ろ空間部に土７や石を詰める土石充填工程とを順次施こす。【選択図】　図１
2004003339.tif 000002
【特許請求の範囲】
【請求項１】
法面に土留壁を施す方法であり、表裏に連結する開拡制限紐を内部に介在して袋巾を制限する袋型枠を用い、鉄筋等の支持棒を間隔をあけ複数本横に並列して法面に打ち込む支持棒打込工程と、袋型枠内の開口上部に、法面から突出している支持棒端部を配置させるように袋型枠を保持する袋型枠保持工程と、袋型枠内にモルタルを打ち込むモルタル打設工程と、袋型枠にモルタル注入で形成された土留壁の後ろ空間部に土や石を詰める土石充填工程とを順次施して成る法面保護工法。
【請求項２】
袋型枠保持工程後に、袋型枠内における支持棒端部に横筋を固定する横配筋工程を施して成る請求項１の法面保護工法。
【請求項３】
横筋にスペーサを取り付けて袋型枠の袋内上端面と横筋とに間隔を付与させる請求項２の法面保護工法。
【請求項４】
横筋に袋型枠内に収容できる縦筋を固定した請求項２又は請求項３の法面保護工法。
【請求項５】
袋型枠の下端を、その下に配置した袋型枠の支持棒に取り付けたストッパで係止支持した請求項１又は請求項２又は請求項３又は請求項４の法面保護工法。
【発明の詳細な説明】
【０００１】
【産業上の利用分野】
本発明は、法面土留を用いた保護工法に関するものである。
【０００２】
【従来の技術】
従来から法面の保護は、現場にて型枠を組んでコンクリート打設する土留工法、或いは法面へのモルタルの吹き付け保護が広く行われていた。しかしながら、前者では凹凸のある法面での型枠組みが難しくて手間がかかると共に、コスト高となる問題点があった。後者ではモルタルが脆くて土留作用が悪く、しかも緑化できない欠点があった。
【０００３】
【発明が解決しようとする課題】
そこで本発明は、凹凸のある法面でも簡単に型枠を組むことができて安価に確実な土留ができると共に、緑化にも適した法面保護工法を提供するものである。
【０００４】
【課題を解決するための手段】
このため本発明の法面保護工法は、法面に土留壁を施す方法であり、表裏に連結する開拡制限紐を内部に介在して袋巾を制限する袋型枠を用い、鉄筋等の支持棒を間隔をあけ複数本横に並列して法面に打ち込む支持棒打込工程と、袋型枠内の開口上部に、法面から突出している支持棒端部を配置させるように袋型枠を保持する袋型枠保持工程と、袋型枠内にモルタルを打ち込むモルタル打設工程と、袋型枠にモルタル注入で形成された土留壁の後ろ空間部に土や石を詰める土石充填工程を順次施して成る構成である。なお、袋型枠内における支持棒端部に固定した横筋にスペーサを取り付けて袋型枠の袋内上端面と横筋とに間隔を付与させてもよい。また、横筋に袋型枠内に収容できる縦筋を固定してもよい。さらに、袋型枠の下端を、その下に配置した袋型枠の支持棒に取り付けたストッパで係止支持してもよい。
【０００５】
【発明の実施の形態】
以下、本発明工法の詳細を、図示した形態例を参照しながら説明し、あわせて袋型枠の形態例を説明する。図１で示す法面の土留の施工において、まず合成繊維の二重織地から成る軽量で高強度の袋型枠１を用いる。
【０００６】
この袋型枠１は、従来から河川港湾の護岸等に敷き詰め、その内部にモルタルを充填して用いられている布製型枠を利用したもので、図２のように、長手方向上端に開閉ファスナ１２を設けると共に、裏面上部の両端部近くと中央部にハトメ１３を取り付けてその中央部に鉄筋挿通孔１４を透設している。なお、表裏に連結する開拡制限紐１０を内部に多数縫着介在して袋巾のそれ以上の広がりを阻止している。
【０００７】
法面Ｓの土留は、第一工程は支持棒打込工程であり、支持棒となる異形鉄筋２を法面Ｓに６０ｃｍ位打ち込んで外端を約３０ｃｍ法面Ｓから突出させる。異形鉄筋２の外端から約３０ｃｍの位置には、上向きのストッパ２１が突設してあるため、そのストッパ２１が法面Ｓ近くに配置するよう打ち込む。なお、この異形鉄筋２を横に間隔をおいて複数本（本例では３本）並列に打ち込んでいる。
【０００８】
ついで、第二は袋型枠保持工程であり、図３のように、開閉ファスナ１２を開いた袋型枠１の鉄筋挿通孔１４に、突出している異形鉄筋２の鉄筋端部２０を挿通して袋型枠１を吊り下げ保持する。この状態では、袋型枠１内の開口上部に鉄筋端部２０が配置され、袋型枠１の下端は法面Ｓに当接させると共に、下方で打ち込んだ別の異形鉄筋２のストッパ２１に係止する。なお、最下位の袋型枠１の下端の支持は別材のストッパに係止すればよい。
【０００９】
袋型枠１の保持後は横配筋工程であり、図４のように、袋型枠１内における鉄筋端部２０に横筋３を固定する。なお、本例では、図５のように、横筋３に下向きの縦筋４を固着した鉄筋を用いて袋型枠１内に収容すると共に、横筋３にスペーサ５を挿着している。
【００１０】
そして、袋型枠１内にモルタルを供給するモルタル打設工程を施す。これにより、袋型枠１内がモルタルで膨らんで土留壁Ｋが形成され、袋型枠１はモルタルと一体となるためそのまま放置する。
【００１１】
なお、この際、袋型枠１の下部はストッパ２１に係止されているため道路側（法面と反対方向）に移動せず、法面Ｓ側に当接して土留壁Ｋが形成される。また、袋型枠１は開拡制限紐１０の介在によって所定以上の巾に広がることがなく一定の巾を保持する。
【００１２】
土留壁Ｋの乾燥形成後は、図６のように、土留壁Ｋの後ろ空間部に土７を充填する土石充填工程を施して異形鉄筋２を埋め、緑化に供すればよい。
【００１３】
このように本例工法によると、袋型枠１を用いたため凹凸法面の場合においても異形鉄筋２の保持で簡単に型枠を設置でき、袋型枠１へのモルタルの打設で安価な土留壁Ｋが形成できるのである。また、土留壁Ｋ内には横筋３と縦筋４が配筋されて強固な躯体となり、さらに袋型枠１の開拡制限紐１０によって一定の巾の土留壁Ｋとなるのである。
【００１４】
本例は上記の工法及び構成としたが、本発明においてはこれに限定されない。例えば、工法においては、用いる袋型枠１の形状、大きさ及び構成は問わず、開閉部材の種類も限定されない。また、保持した袋型枠１の下端の支持手段は適宜である。さらに、袋型枠１の袋内上端面と横筋３とに間隔を付与させるために用いるスペーサ５の形状も任意であり、薄肉の土留壁Ｋであれば縦筋４を用いなくてもよい。なお、袋型枠１内に打ち込むモルタルに細砕石を混合してもよく、緑化が必要ない場合等では土留壁Ｋの後ろ空間部に砕石を充填してもよい。
【００１５】
また、袋型枠１にあっては、その大きさ、材質や形状は問わず、上端に設ける開閉部材の構成も適宜であり、表裏に連結する開拡制限紐１０の材質や取付構成も任意である。
【００１６】
【発明の効果】
本発明の請求項１、２によると、袋型枠１を用いたため凹凸法面の場合においても支持棒の保持で簡単に型枠を設置でき、袋型枠１へのモルタルの打設で安価な土留壁Ｋが形成できるのであり、特に緑化土留として優れている。請求項３では、袋型枠１の袋内上端面と横筋３とに間隔を設けることができるためモルタル内の配筋が良好となるのである。請求項４では縦筋４の配筋によって堅固な土留壁Ｋが形成できるのである。請求項５ではモルタル打設の際に、袋型枠１が移動するこがなく円滑なモルタル打設が図れるのである。
【図面の簡単な説明】
【図１】本発明の一形態例を示す斜視図である。
【図２】袋型枠の形態例を示す一部切欠した背面からの斜視図である。
【図３】袋型枠の保持工程を示す縦断面図である。
【図４】袋型枠内への横配筋工程を示す縦断面図である。
【図５】配筋及びスペーサの斜視図である。
【図６】土留壁形成後の縦断面図である。
【符号の説明】
Ｓ　　法面
Ｋ　　土留壁
１　　袋型枠
１０　開拡制限紐
１４　鉄筋挿通孔
２　　異形鉄筋
２０　端部
２１　ストッパ
３　　横筋
４　　縦筋
５　　スペーサ
７　　土
【図１】
2004003339.tif 000003
【図２】
2004003339.tif 000004
【図３】
2004003339.tif 000005
【図４】
2004003339.tif 000006
【図５】
2004003339.tif 000007
【図６】
2004003339.tif 000008